(57)【要約】【課題】  エンジン出力効率向上させ、排出するＣＯ、ＮＯｘと炭化水素等の廃棄物を毒性の無いＣＯ2、Ｎ2に変え、シリンダー内温度を低下させエンジンの寿命を増長させる内燃機のナノメートルチタン金めっきシリンダー層を提供する。【解決手段】  ナノメートル黄金液及びナノメートルチタン液を組み合わせた物を燃料タンク１０内に添加させ、キャブレター２０を経てガソリン、軽油等の燃料油と一緒にエンジン３０内に進入して燃焼させる。ナノメートル黄金液は二ポリベンジン、二硫化銅及び濃度５００〜５０００ＰＰＭのナノメートル超微粒黄金により構成される。ナノメートルチタン黄金液がエンジンに進入した後、ピストン５０が往復移動することで、シリンダー３１内壁にひとつのチタン金めっきシリンダー層３２を形成する。めっきシリンダー層３２形成後、シリンダー３１を保護し、窒素酸素化合物を窒素及び酸素に還元させ、燃焼を助ける。【選択図】    図２
0003108275.tif 000002
【実用新案登録請求の範囲】
【請求項１】
内燃機のナノメートルチタン金めっきシリンダー層であって、自動車エンジンを含み、エンジンシリンダー内に設けられるめっきシリンダー層であり、
めっきシリンダー層はナノメートル黄金及びナノメートルチタンによって構成されることを特徴とする内燃機のナノメートルチタン金めっきシリンダー層。
【請求項２】
ナノメートル黄金は二ポリベンジン、二硫化銅及び濃度５００〜５０００ＰＰＭのナノメートル超微粒黄金から構成されることを特徴とする請求項１記載の内燃機のナノメートルチタン金めっきシリンダー層。
【請求項３】
ナノメートルチタンは二酸化チタンから構成されることを特徴とする請求項１記載の内燃機のナノメートルチタン金めっきシリンダー層。
【考案の詳細な説明】
【技術分野】
【０００１】
本考案は、内燃機のナノメートルチタン金めっきシリンダー層に関する。
【背景技術】
【０００２】
内燃機は無論ガソリン、軽油を使用、或いはエンジンオイル、潤滑油等を添加することにより、構造性の要因を受け、不完全燃焼を発生させることは避けられず、従って燃料消費量を増やし、且つ馬力は低下し、並びに多くの有毒気体を排出し、ひどい環境汚染を生み出す。このほか、燃焼過程が常に温度が高くなりすぎるなど、エンジン寿命に於いて良くない影響である。
また、エンジンの燃焼後に排出する気体は、皆非常に濃い臭いを有していて、人にとっては忍び難いものであり、しかし改善の方法は少なかった。
【０００３】
近来ナノメートル構造が重視されている。自然界中の蓮の花は溜まった泥を出しても染まらず、この秘訣は蓮の葉表面の精密なナノメートル構造に在る。汚れた泥ほこりの土が容易には付着せず、水滴はその上に落ちころがり動き拡散しない状態を呈するのである。科学技術の進歩に従い、科学家らは少しずつ人造ナノメートル構造材料設備と検証等の技術を発展させ、物質がナノメートル寸法に進入した際現れる特性及び活力は、往々にしてまた常に大差の無いものであり、例えば銅を優れた導体とすれば、ナノメートル銅はしかしながら絶縁体であり、マイクロメートル級とナノメートル級の光触媒の活性は、表面積が同じでないために千倍以上の開きが有り、ナノメートル構造の応用は人類にとって、さながら再び新大陸を発見したかのようであった。
【考案の開示】
【考案が解決しようとする課題】
【０００４】
したがって、本考案は、上記の問題を解決するためになされたものであり、本考案の目的は、ナノメートル超微粒技術を運用し、光触媒の表面触媒効果を結合し、それを内燃機に用い、エンジン出力効率向上させ、排出するＣＯ、ＮＯｘと炭化水素等の廃棄物を毒性の無いＣＯ2、Ｎ2に変え、シリンダー内温度を低下させエンジンの寿命を増長させる内燃機のナノメートルチタン金めっきシリンダー層を提供することにある。
【課題を解決するための手段】
【０００５】
上述の目的を達成するために本考案の請求項に記載の内燃機のナノメートルチタン金めっきシリンダー層は、エンジンシリンダー内にひとつのナノメートル黄金及びナノメートルチタンにより組成されためっきシリンダー層を形成し、金触媒の微細構造及び表面効果により、良好な触媒活性を形成する。
【考案を実施するための最良の形態】
【０００６】
以下、本考案の実施例を図面に基づいて説明する。
図１に示すように、エンジンでは燃料タンク１０のガソリン或いは軽油等の油類はキャブレター２０を経てエンジン３０に送り入れられた後、スパークプラグ４０により点火され、シリンダー３１内に於いて燃焼し、さらにピストン５０を押し動かす作動をする。これが一般的なエンジンの作動原理である。
【０００７】
本考案の実施例は実験を経て発見された。ナノメートル黄金液及びナノメートルチタン液を組み合わせた物を燃料タンク１０内に添加させ、キャブレター２０を経てガソリン、軽油等の燃料油と一緒にエンジン３０内に進入して燃焼させる。ナノメートル黄金超微粒が特殊な表面効果を有しているため、容易にＣＯを触媒し酸化反応を活性させ、迅速にＣＯをＣＯ2に化学合成し、ＮＯｘをＮ2に還元する。同時に特殊な熱力学性質によりナノメートル金属の溶解点を低下させ、焼結温度を低下させるのに有効である。これにより、ナノメートル黄金液及びナノメートルチタンがエンジンに進入した後、各種化学反応を触媒し、エンジン温度を低下させる効能を有する。
【０００８】
ナノメートル黄金液は二ポリベンジン、二硫化銅及び濃度５００〜５０００ＰＰＭのナノメートル超微粒黄金により構成される。
【０００９】
更に、ナノメートルチタン液は主に二酸化チタン（ＴｉＯ2）に加水して構成されたもので、二酸化チタン本体が即ち一種の触媒剤であり、化学反応のエネルギー量を減らすことが可能で、化学反応の増大を促す。従って、ナノメートル黄金と組み合わせて使用すれば、相互補成の効果を達成し、更に殺菌除臭作用を有するに至る。
【００１０】
図２は図１中の部分拡大図である。本実施例によるナノメートルチタン黄金液がエンジンに進入した後、ピストン５０が往復移動することで、シリンダー３１内壁にひとつのチタン金めっきシリンダー層３２を形成する。めっきシリンダー層３２形成後、シリンダー３１を保護するのみならず、且つ燃焼に対して触媒作用を提供し、窒素酸素化合物を窒素及び酸素に還元させ、燃焼を助け、エンジン出力効率向上を達成し、有毒な排気を低下させ、以って使用寿命を増進させる効果を増進させる。
【００１１】
更に、図３は図２中の部分拡大図である。徐々に形成されたチタン金めっきシリンダー層３２は、シリンダー３１表面の隙間穴３１１を埋め、ピストン５０とシリンダー壁の間の隙間を密なものにし、自動車のトルク及び登攀力を増加させる。
【図面の簡単な説明】
【００１２】
【図１】内燃機を示す図である。
【図２】本考案の実施例による内燃機のナノメートルチタン金めっきシリンダー層を形成する状態を示す拡大図である。
【図３】本考案の実施により形成されたチタン金めっきシリンダー層が、シリンダー表面の隙間穴を埋めた状態を示す図である。
【符号の説明】
【００１３】
１０  燃料タンク、２０  キャブレター、３０  エンジン、３１  シリンダー、３２  めっきシリンダー層、４０  スパークプラグ、５０  ピストン、３１１  隙間穴
【図１】
0003108275.tif 000003
【図２】
0003108275.tif 000004
【図３】
0003108275.tif 000005